(57)【特許請求の範囲】
【請求項１】
供給された第１の流体を、２つの吐出口の何れか一方から吐出させ、又は第１の流体の吐出を停止させる切替弁であって、
切替弁本体と、
この切替弁本体の内部に形成され、供給された第１の流体が流入する弁室と、
この弁室と第１吐出口とを連通させる第１弁座と、
上記弁室と第２吐出口とを連通させる第２弁座と、
上記第１弁座及び上記第２弁座の何れか一方を閉鎖させ、又は両方を閉鎖させるように、所定の作動軸線上に夫々配置され、上記作動軸線の方向に移動可能、且つ上記作動軸線を中心に回動可能に配置された第１弁体及び第２弁体と、
上記第１弁体を駆動して、上記第１弁体を回動させる回動駆動手段と、
上記第１弁体及び上記第２弁体に設けられ、上記第１弁体と上記第２弁体の相対的な回動により、上記第１弁体と上記第２弁体の間隔を変化させる第１カム機構と、
を有することを特徴とする切替弁。
【請求項２】
さらに、上記回動駆動手段により回動される上記第１弁体の回動位置に基づいて、上記第１弁体及び上記第２弁体を、第１の方向、及びこの第１の方向とは反対の第２の方向に、上記作動軸線に沿って移動させる弁体駆動手段を有する請求項１記載の切替弁。
【請求項３】
上記弁体駆動手段が、上記第１弁体に設けられ、上記切替弁本体に対して上記第１弁体が所定角度回動されると、上記第１弁体を上記作動軸線に沿って上記第１の方向に押す第２カム機構を有する請求項２記載の切替弁。
【請求項４】
上記弁体駆動手段が、上記第２弁体に設けられ、上記切替弁本体に対して上記第２弁体が所定角度回動されると、上記第２弁体を第２の方向に押す第３カム機構を有する請求項２又は３記載の切替弁。
【請求項５】
上記弁体駆動手段が、上記第２弁体を上記第２の方向に付勢する第２弁体付勢手段を有する請求項２又は３記載の切替弁。
【請求項６】
さらに、上記第２弁体の所定角度以上の回動を阻止するストッパ機構を有し、このストッパ機構により上記第２弁体の回動が係止された状態で、上記第１弁体を回動させることにより、上記第１カム機構が上記第１弁体と上記第２弁体の間隔を広くするように作用する請求項１乃至５の何れか１項に記載の切替弁。
【請求項７】
さらに、第２の流体を流入又は停止させるように、上記作動軸線にほぼ直交する方向に移動可能に配置された第３弁体と、この第３弁体によって開閉される第３弁座と、を有し、上記第１弁座及び上記第２弁座が、上記第１弁体及び上記第２弁体によって夫々閉鎖されたとき、上記第３弁体は、上記第１弁体、上記第２弁体、又は上記回動駆動手段によって押圧され、上記第３弁座が開放される請求項１乃至６の何れか１項に記載の切替弁。
【請求項８】
供給された第１の流体を、２つの吐出口の何れか一方から吐出させ、又は第１の流体の吐出を停止させる切替弁であって、
切替弁本体と、
この切替弁本体の内部に形成され、供給された第１の流体が流入する弁室と、
この弁室の一端に設けられ、上記弁室と第１吐出口とを連通させる第１弁座と、
この第１弁座と対向するように上記弁室に設けられ、上記弁室と第２吐出口とを連通させる第２弁座と、
上記第１弁座を開閉するように、上記弁室内に所定の作動軸線上で移動可能に配置された第１弁体と、
上記第２弁座を開閉するように、上記弁室内に上記作動軸線上で移動可能に配置された第２弁体と、
上記第１弁体を駆動して、上記第１弁体を回動させる駆動スピンドルと、
上記第１弁体に設けられ、上記駆動スピンドルにより上記第１弁体が第１回動位置から第２回動位置に回動されると、上記第１弁体及び上記第２弁体を第１の方向に押して、上記第１弁座を開放させ、上記第２弁座を閉鎖させる第２カム機構と、
上記第２弁体と係合するように配置され、上記第２弁体の上記第２回動位置から第３回動位置への回動を阻止するストッパ機構と、
上記第１弁体及び上記第２弁体に設けられ、上記駆動スピンドルにより上記第１弁体が上記第２回動位置から上記第３回動位置に回動されると、上記第１弁体と上記第２弁体の相対的な回動により、上記第２弁体に対して上記第１弁体を上記第１の方向とは反対の第２の方向に押して、上記第１弁座を閉鎖させる第１カム機構と、
上記駆動スピンドルにより上記第１弁体が上記第２回動位置から上記第１回動位置に回動されると、上記第１弁体及び上記第２弁体を、上記第２の方向に押して、上記第１弁座を閉鎖させ、上記第２弁座を開放させる第２弁体付勢手段と、
を有することを特徴とする切替弁。
【請求項９】
供給された第１の流体を、２つの吐出口の何れか一方から吐出させ、又は第１の流体の吐出を停止させる切替弁であって、
切替弁本体と、
この切替弁本体の内部に形成され、供給された第１の流体が流入する弁室と、
この弁室の一端に設けられ、上記弁室と第１吐出口とを連通させる第１弁座と、
この第１弁座と対向するように上記弁室に設けられ、上記弁室と第２吐出口とを連通させる第２弁座と、
上記第１弁座及び上記第２弁座を開閉するように、上記弁室内に所定の作動軸線上で移動可能に配置された第１弁体と、
上記第２弁座を開閉するように、上記作動軸線上で移動可能に配置された第２弁体と、
上記第１弁体を駆動して、上記第１弁体を回動させる駆動スピンドルと、
上記第１弁体に設けられ、上記駆動スピンドルにより上記第１弁体が第１回動位置から第２回動位置に回動されると、上記第１弁体及び上記第２弁体を第１の方向に押して、上記第２弁体を上記第２弁座から離座させると共に、上記第１弁体を上記第１弁座から離座させ、上記第２弁座に着座させる第２カム機構と、
上記第２弁体と係合するように配置され、上記第２弁体の上記第２回動位置から第３回動位置への回動を阻止するストッパ機構と、
上記第１弁体及び上記第２弁体に設けられ、上記駆動スピンドルにより上記第１弁体が上記第２回動位置から上記第３回動位置に回動されると、上記第１弁体と上記第２弁体の相対的な回動により、上記第２弁体に対して上記第１弁体を上記第１の方向とは反対の第２の方向に押して、上記第１弁体を上記第２弁座から離座させ、上記第１弁座に着座させる第１カム機構と、
上記駆動スピンドルにより上記第１弁体が上記第２回動位置から上記第１回動位置に回動されると、上記第１弁体及び上記第２弁体を、上記第２の方向に押して、上記第２弁体を上記第２弁座に着座させると共に、上記第１弁体を上記第２弁座から離座させ、上記第１弁座に着座させる第３カム機構と、
を有することを特徴とする切替弁。
【請求項１０】
供給された第１の流体を、２つの吐出口の何れか一方から吐出させ、又は第１の流体の吐出を停止させる切替弁であって、
切替弁本体と、
この切替弁本体の内部に形成され、供給された第１の流体が流入する弁室と、
この弁室の一端に設けられ、上記弁室と第１吐出口とを連通させる第１弁座と、
この第１弁座と対向するように上記弁室に設けられ、上記弁室と第２吐出口とを連通させる第２弁座と、
上記第１弁座を開閉するように、上記弁室内に所定の作動軸線上で移動可能に配置された第１弁体と、
上記第２弁座を開閉するように、上記弁室内に上記作動軸線上で移動可能に配置された第２弁体と、
上記第１弁体を駆動して、上記第１弁体を回動させる駆動スピンドルと、
上記第１弁体に設けられ、上記駆動スピンドルにより上記第１弁体が第１回動位置から第２回動位置に回動されると、上記第１弁体及び上記第２弁体を第１の方向に押して、上記第１弁座を開放させ、上記第２弁座を閉鎖させる第２カム機構と、
上記第２弁体と係合するように配置され、上記第２弁体の上記第２回動位置から第３回動位置への回動を阻止するストッパ機構と、
上記第１弁体及び上記第２弁体に設けられ、上記駆動スピンドルにより上記第１弁体が上記第２回動位置から上記第３回動位置に回動されると、上記第１弁体と上記第２弁体の相対的な回動により、上記第２弁体に対して上記第１弁体を上記第１の方向とは反対の第２の方向に押して、上記第１弁座を閉鎖させる第１カム機構と、
上記駆動スピンドルにより上記第１弁体が上記第２回動位置から上記第１回動位置に回動されると、上記第１弁体及び上記第２弁体を、上記第２の方向に押して、上記第１弁座を閉鎖させ、上記第２弁座を開放させる第３カム機構と、
を有することを特徴とする切替弁。
【請求項１１】
上記弁室に接続された水道水供給部と、
上記第１吐出口又は上記第２吐出口の何れか一方に接続されたシャワー吐水部と、
上記第１吐出口又は上記第２吐出口の他方に接続された直流吐水部と、
請求項１乃至１０の何れか１項に記載の切替弁と、
を有することを特徴とする水栓。
【請求項１２】
供給された第１の流体、及び浄水器を介して供給された浄水である第２の流体を、２つの吐水部の何れか一方から吐出させ、又は吐出を停止させる浄水器水栓であって、
切替弁本体と、
この切替弁本体の内部に形成され、供給された第１の流体が流入する弁室と、
この弁室に接続された水道水供給部と、
上記弁室とシャワー吐水部又は直流吐水部の何れか一方とを連通させる第１弁座と、
上記弁室とシャワー吐水部又は直流吐水部の他方とを連通させる第２弁座と、
上記第１弁座及び上記第２弁座の何れか一方を閉鎖させ、又は両方を閉鎖させるように、所定の作動軸線上に夫々配置され、上記作動軸線の方向に移動可能、且つ上記作動軸線を中心に回動可能に配置された第１弁体及び第２弁体と、
第２の流体を流入又は停止させるように、上記作動軸線にほぼ直交する方向に移動可能に配置された第３弁体と、
この第３弁体によって開閉され、上記直流吐水部に連通された第３弁座と、
上記第１弁体を駆動して、上記第１弁体を回動させる回動駆動手段と、
上記第１弁体及び上記第２弁体に設けられ、上記第１弁体と上記第２弁体の相対的な回動により、上記第１弁体と上記第２弁体の間隔を変化させる第１カム機構と、
上記第１弁座及び上記第２弁座が、上記第１弁体及び上記第２弁体によって夫々閉鎖されたとき、上記第３弁体を押圧して上記第３弁座を開放させる第３弁体駆動機構と、
を有することを特徴とする浄水器水栓。
【発明の詳細な説明】
【技術分野】
【０００１】
本発明は、切替弁及びそれを備えた水栓に関し、特に、供給された流体を２つの吐出口の何れか一方から吐出させ又は流体の吐出を停止させる切替弁及びそれを備えた水栓に関する。
【背景技術】
【０００２】
特開２００３−２０１７２６号公報（特許文献１）には、原水浄水切替型吐水器具が記載されている。この吐水器具では、シリンダ状のスプール弁を吐水器具の本体内で軸方向に摺動させ、原水直流吐水、原水シャワー吐水、及び浄水直流吐水を切り替えている。即ち、この吐水器具では、スプール弁とスプール弁が摺動する弁室の間に水密性を確保するためのＯリングが配置され、Ｏリングをスプール弁と共に弁室の壁面に対して摺動させることにより水路を切り替えている。
【０００３】
一方、特開昭６０−２４１５８２号公報（特許文献２）には、分岐弁が記載されている。この分岐弁は、各流出口に連通した２つの弁座が両端に対向して配置された弁室と、弁室の中に配置され、摺動可能に弁桿に取り付けられた２つの弁体とを備えている。さらに、２つの弁体の間には、それらの間隔を広げるように付勢するコイルバネが配置されており、このコイルバネが伸張されることにより、２つの弁座が各弁体により同時に閉鎖される。また、弁桿を軸方向に摺動させることにより、上記コイルバネを圧縮させると共に、何れか一方の弁座に対向する弁体を押し付けて、これを閉鎖させるように構成されている。
【０００４】
【特許文献１】特開２００３−２０１７２６号公報
【特許文献２】特開昭６０−２４１５８２号公報
【発明の開示】
【発明が解決しようとする課題】
【０００５】
しかしながら、特開２００３−２０１７２６号公報記載の原水浄水切替型吐水器具では、Ｏリングを装着したスプール弁を軸方向に摺動させることにより水路を切り替えているため、スプール弁に作用する摺動抵抗が大きく、水路を切り替えるために大きな操作力が必要になるという問題がある。また、Ｏリングが摺動する際の抵抗は、潤滑剤を塗布することにより低減することも可能であるが、Ｏリングが水路にあるため、しばらく使用すると塗布した潤滑剤が流体で洗い流されてしまうので、摺動抵抗を小さいままに維持することは困難である。
【０００６】
一方、特開昭６０−２４１５８２号公報記載の分岐弁では、弁体を弁座に押し付けることにより水路を切り替えているが、複数のコイルバネに抗して弁体を移動させているため、大きな操作力が必要になるという問題がある。また、この分岐弁では、分岐弁の中で軸方向に摺動される弁桿に、水密性を確保するためのＯリングを配置する必要があり、Ｏリングを軸方向に摺動させるために大きな操作力を要することになる。
【０００７】
従って、本発明は、小さな操作力で切り替えを行うことができる切替弁及びそれを備えた浄水器水栓を提供することを目的としている。
【課題を解決するための手段】
【０００８】
上述した課題を解決するために、本発明は、供給された第１の流体を、２つの吐出口の何れか一方から吐出させ、又は第１の流体の吐出を停止させる切替弁であって、切替弁本体と、この切替弁本体の内部に形成され、供給された第１の流体が流入する弁室と、この弁室と第１吐出口とを連通させる第１弁座と、弁室と第２吐出口とを連通させる第２弁座と、第１弁座及び第２弁座の何れか一方を閉鎖させ、又は両方を閉鎖させるように、所定の作動軸線上に夫々配置され、作動軸線の方向に移動可能、且つ作動軸線を中心に回動可能に配置された第１弁体及び第２弁体と、第１弁体を駆動して、第１弁体を回動させる回動駆動手段と、第１弁体及び第２弁体に設けられ、第１弁体と第２弁体の相対的な回動により、第１弁体と第２弁体の間隔を変化させる第１カム機構と、を有することを特徴としている。
【０００９】
このように構成された本発明においては、切替弁本体の内部に弁室が形成されており、この弁室は、第１弁座を介して第１吐出口と連通され、第２弁座を介して第２吐出口と連通されている。第１弁体及び第２弁体は、所定の作動軸線上に夫々配置され、作動軸線の方向に移動可能、且つ作動軸線を中心に回動可能に配置されている。回動駆動手段は、第１弁体を駆動して第１弁体を回動させる。第１弁体及び第２弁体に設けられた第１カム機構は、第１弁座及び第２弁座の何れか一方又は両方を閉鎖させるように、第１弁体と第２弁体の相対的な回動により、第１弁体と第２弁体の間隔を変化させる。
【００１０】
このように構成された本発明によれば、各弁体が各弁座に着座され、又は離座することにより流路が切り替えられるため、大きな摺動抵抗が発生することはなく、小さな操作力で流路を切り替えることができる。
【００１１】
本発明において、好ましくは、さらに、回動駆動手段により回動される第１弁体の回動位置に基づいて、第１弁体及び第２弁体を、第１の方向、及びこの第１の方向とは反対の第２の方向に、作動軸線に沿って移動させる弁体駆動手段を有する。
このように構成された本発明によれば、第１弁体の回動位置に基づいて、第１弁体及び第２弁体を、第１の方向及び第２の方向に移動させることができる。
【００１２】
本発明において、好ましくは、弁体駆動手段は、第１弁体に設けられ、切替弁本体に対して第１弁体が所定角度回動されると、第１弁体を作動軸線に沿って第１の方向に押す第２カム機構を有する。
【００１３】
このように構成された本発明によれば、回動駆動手段により第１弁体を回動させることにより、第１弁体を作動軸線に沿って第１の方向に移動させることができる。
【００１４】
本発明において、好ましくは、弁体駆動手段は、第２弁体に設けられ、切替弁本体に対して第２弁体が所定角度回動されると、第２弁体を第１の方向とは反対の第２の方向に押す第３カム機構を有する。
【００１５】
このように構成された本発明によれば、第２弁体を回動させることにより、第２弁体を第１の方向とは反対の方向に移動させることができるので、カム機構を用いて弁体を往復運動させることができる。
【００１６】
本発明において、好ましくは、弁体駆動手段は、第２弁体を第１の方向とは反対の第２の方向に付勢する第２弁体付勢手段を有する。
このように構成された本発明によれば、カム機構により第１の方向に移動された弁体を、第２弁体付勢手段によりもとの位置に復帰させることができる。
【００１７】
本発明において、好ましくは、さらに、第２弁体の所定角度以上の回動を阻止するストッパ機構を有し、このストッパ機構により第２弁体の回動が係止された状態で、第１弁体を回動させることにより、第１カム機構が第１弁体と第２弁体の間隔を広くするように作用する。
【００１８】
このように構成された本発明によれば、ストッパ機構により第２弁体の回動が係止されるので、第１弁体を回動させるだけで、第１弁体と第２弁体の相対的な回動を発生させることができ、これにより、第１弁体と第２弁体の間隔を変化させることができる。
【００１９】
本発明において、好ましくは、さらに、第２の流体を流入又は停止させるように、作動軸線にほぼ直交する方向に移動可能に配置された第３弁体と、この第３弁体によって開閉される第３弁座と、を有し、第１弁座及び第２弁座が、第１弁体及び第２弁体によって夫々閉鎖されたとき、第３弁体は、第１弁体、第２弁体、又は回動駆動手段によって押圧され、第３弁座が開放される。
【００２０】
このように構成された本発明によれば、第１弁体、第２弁体、又は回動駆動手段の回動により、第３弁座を開閉することができるので、回動駆動手段を操作するだけで、第１の流体及び第２の流体の吐出、停止を切り替えることができる。
【００２１】
また、本発明は、供給された第１の流体を、２つの吐出口の何れか一方から吐出させ、又は第１の流体の吐出を停止させる切替弁であって、切替弁本体と、この切替弁本体の内部に形成され、供給された第１の流体が流入する弁室と、この弁室の一端に設けられ、弁室と第１吐出口とを連通させる第１弁座と、この第１弁座と対向するように弁室に設けられ、弁室と第２吐出口とを連通させる第２弁座と、第１弁座を開閉するように、弁室内に所定の作動軸線上で移動可能に配置された第１弁体と、第２弁座を開閉するように、弁室内に作動軸線上で移動可能に配置された第２弁体と、第１弁体を駆動して、第１弁体を回動させる駆動スピンドルと、第１弁体に設けられ、駆動スピンドルにより第１弁体が第１回動位置から第２回動位置に回動されると、第１弁体及び第２弁体を第１の方向に押して、第１弁座を開放させ、第２弁座を閉鎖させる第２カム機構と、第２弁体と係合するように配置され、第２弁体の第２回動位置から第３回動位置への回動を阻止するストッパ機構と、第１弁体及び第２弁体に設けられ、駆動スピンドルにより第１弁体が第２回動位置から第３回動位置に回動されると、第１弁体と第２弁体の相対的な回動により、第２弁体に対して第１弁体を第１の方向とは反対の第２の方向に押して、第１弁座を閉鎖させる第１カム機構と、駆動スピンドルにより第１弁体が第２回動位置から第１回動位置に回動されると、第１弁体及び第２弁体を、第２の方向に押して、第１弁座を閉鎖させ、第２弁座を開放させる第２弁体付勢手段と、を有することを特徴としている。
【００２２】
さらに、本発明は、供給された第１の流体を、２つの吐出口の何れか一方から吐出させ、又は第１の流体の吐出を停止させる切替弁であって、切替弁本体と、この切替弁本体の内部に形成され、供給された第１の流体が流入する弁室と、この弁室の一端に設けられ、弁室と第１吐出口とを連通させる第１弁座と、この第１弁座と対向するように弁室に設けられ、弁室と第２吐出口とを連通させる第２弁座と、第１弁座及び第２弁座を開閉するように、弁室内に所定の作動軸線上で移動可能に配置された第１弁体と、第２弁座を開閉するように、作動軸線上で移動可能に配置された第２弁体と、第１弁体を駆動して、第１弁体を回動させる駆動スピンドルと、第１弁体に設けられ、駆動スピンドルにより第１弁体が第１回動位置から第２回動位置に回動されると、第１弁体及び第２弁体を第１の方向に押して、第２弁体を第２弁座から離座させると共に、第１弁体を第１弁座から離座させ、第２弁座に着座させる第２カム機構と、第２弁体と係合するように配置され、第２弁体の第２回動位置から第３回動位置への回動を阻止するストッパ機構と、第１弁体及び第２弁体に設けられ、駆動スピンドルにより第１弁体が第２回動位置から第３回動位置に回動されると、第１弁体と第２弁体の相対的な回動により、第２弁体に対して第１弁体を第１の方向とは反対の第２の方向に押して、第１弁体を第２弁座から離座させ、第１弁座に着座させる第１カム機構と、駆動スピンドルにより第１弁体が第２回動位置から第１回動位置に回動されると、第１弁体及び第２弁体を、第２の方向に押して、第２弁体を第２弁座に着座させると共に、第１弁体を第２弁座から離座させ、第１弁座に着座させる第３カム機構と、を有することを特徴としている。
【００２３】
また、本発明は、供給された第１の流体を、２つの吐出口の何れか一方から吐出させ、又は第１の流体の吐出を停止させる切替弁であって、切替弁本体と、この切替弁本体の内部に形成され、供給された第１の流体が流入する弁室と、この弁室の一端に設けられ、弁室と第１吐出口とを連通させる第１弁座と、この第１弁座と対向するように弁室に設けられ、弁室と第２吐出口とを連通させる第２弁座と、第１弁座を開閉するように、弁室内に所定の作動軸線上で移動可能に配置された第１弁体と、第２弁座を開閉するように、弁室内に作動軸線上で移動可能に配置された第２弁体と、第１弁体を駆動して、第１弁体を回動させる駆動スピンドルと、第１弁体に設けられ、駆動スピンドルにより第１弁体が第１回動位置から第２回動位置に回動されると、第１弁体及び第２弁体を第１の方向に押して、第１弁座を開放させ、第２弁座を閉鎖させる第２カム機構と、第２弁体と係合するように配置され、第２弁体の第２回動位置から第３回動位置への回動を阻止するストッパ機構と、第１弁体及び第２弁体に設けられ、駆動スピンドルにより第１弁体が第２回動位置から第３回動位置に回動されると、第１弁体と第２弁体の相対的な回動により、第２弁体に対して第１弁体を第１の方向とは反対の第２の方向に押して、第１弁座を閉鎖させる第１カム機構と、駆動スピンドルにより第１弁体が第２回動位置から第１回動位置に回動されると、第１弁体及び第２弁体を、第２の方向に押して、第１弁座を閉鎖させ、第２弁座を開放させる第３カム機構と、を有することを特徴としている。
【００２４】
さらに、本発明の水栓は、弁室に接続された水道水供給部と、第１吐出口又は第２吐出口の何れか一方に接続されたシャワー吐水部と、第１吐出口又は第２吐出口の他方に接続された直流吐水部と、本発明の切替弁と、を有することを特徴としている。
【００２５】
また、本発明は、供給された第１の流体、及び浄水器を介して供給された浄水である第２の流体を、２つの吐水部の何れか一方から吐出させ、又は吐出を停止させる浄水器水栓であって、切替弁本体と、この切替弁本体の内部に形成され、供給された第１の流体が流入する弁室と、この弁室に接続された水道水供給部と、弁室とシャワー吐水部又は直流吐水部の何れか一方とを連通させる第１弁座と、弁室とシャワー吐水部又は直流吐水部の他方とを連通させる第２弁座と、第１弁座及び第２弁座の何れか一方を閉鎖させ、又は両方を閉鎖させるように、所定の作動軸線上に夫々配置され、作動軸線の方向に移動可能、且つ作動軸線を中心に回動可能に配置された第１弁体及び第２弁体と、第２の流体を流入又は停止させるように、作動軸線にほぼ直交する方向に移動可能に配置された第３弁体と、この第３弁体によって開閉され、直流吐水部に連通された第３弁座と、第１弁体を駆動して、第１弁体を回動させる回動駆動手段と、第１弁体及び第２弁体に設けられ、第１弁体と第２弁体の相対的な回動により、第１弁体と第２弁体の間隔を変化させる第１カム機構と、第１弁座及び第２弁座が、第１弁体及び第２弁体によって夫々閉鎖されたとき、第３弁体を押圧して第３弁座を開放させる第３弁体駆動機構と、を有することを特徴としている。
【発明の効果】
【００２６】
本発明の切替弁及びそれを備えた浄水器水栓によれば、小さな操作力で切り替えを行うことができる。
【発明を実施するための最良の形態】
【００２７】
次に、添付図面を参照して、本発明の好ましい実施形態を説明する。
まず、図１乃至図９を参照して、本発明の第１実施形態による浄水器水栓を説明する。図１（ａ）は、本実施形態の浄水器水栓が設けられた水栓装置を示す斜視図である。図１（ｂ）は、水栓装置の内部における水路を示すブロック図である。
【００２８】
図１（ａ）に示すように、本発明の第１実施形態による浄水器水栓１は、水栓装置２の吐水部の先端に設けられている。図１（ｂ）に示すように、水栓装置２の内部において水路が２つに分岐され、その一方は浄水器水栓１に直接接続されており、もう一方は、水栓装置２に内蔵されている浄水器４を介して浄水器水栓１に接続されている。本実施形態の浄水器水栓１は、第１の流体である原水を、シャワー吐水部２２ａ又は直流吐水部２２ｂから吐水させ、また、浄水器４を通過した第２の流体である浄水を、直流吐水部２２ｂから吐水させるように構成されている。本実施形態においては、切替レバー６を操作することにより、原水の直流吐水、原水のシャワー吐水、浄水の直流吐水の３通りに切り替えることができる。
【００２９】
次に、図２乃至図７を参照して、本実施形態の浄水器水栓１に内蔵されている切替弁の構成を説明する。図２は切替弁の正面断面図であり、図３は切替弁の平面断面図である。また、図４は、切替弁の主要な部品を分解して断面で示す分解図である。図５乃至図７は、各部品に形成されているカムの形状を拡大して示す斜視図である。
【００３０】
図２乃至図４に示すように、浄水器水栓１に内蔵されている切替弁８は、切替弁本体１０と、切替レバー６に連結された回動駆動手段である駆動スピンドル１２と、この駆動スピンドル１２と係合された第１弁体１４と、この第１弁体１４と係合された第２弁体１６と、を有する。また、切替弁８は、浄水の吐水、停止を切り替える第３弁体１８と、この第３弁体１８を閉方向に付勢するコイルバネ２０と、を有する。さらに、切替弁本体１０の下部には、シャワー吐水部２２ａ及び直流吐水部２２ｂが設けられた吐水部形成部材２２が取り付けられ、切替弁本体１０の背面側には、原水及び浄水の供給通路が設けられた給水部形成部材２４が取り付けられている。
【００３１】
切替弁本体１０は、駆動スピンドル１２を受け入れている第１本体部材１０ａと、内部に弁室が形成される第２本体部材１０ｂと、第３本体部材１０ｃと、を結合することによって構成されている。駆動スピンドル１２、第１弁体１４、及び第２弁体１６は、切替弁本体１０の作動軸線Ａ上に、回動可能に配置されている。また、第１弁体１４及び第２弁体１６は、作動軸線Ａを中心とする回動に伴って作動軸線Ａ上で移動され、これにより各弁座が開閉され、流路を切り替えることができる。
【００３２】
第１本体部材１０ａは、概ね円筒状の部材であり、その中心の作動軸線Ａ上に、駆動スピンドル１２を回動可能に受け入れている。また、駆動スピンドル１２の反対側の、第１本体部材１０ａの端部には中空部が形成され、この中空部の中に第１弁座形成部材２６が配置されている。第１弁座形成部材２６は、概ね円筒状の部材であり、その一方の端部には第１弁座２６ａが形成されている。さらに、第１本体部材１０ａには、作動軸線Ａに対して直角方向に下方に延びる通水路が形成されており、この通水路は、第１弁座２６ａと、シャワー吐水部２２ａに接続される第１吐出口２８とを連通させるように延びている。
【００３３】
第２本体部材１０ｂは、概ね円筒状の部材であり、その中間部には、作動軸線Ａに直交する隔壁が設けられている。この隔壁の中心には円形の穴が形成されており、この円形穴の縁が第２弁座３０として機能する。また、第２本体部材１０ｂの、第１本体部材１０ａと接続される方の端部には、第１弁座形成部材２６の端部が受け入れられており、第２弁座３０と第１弁座２６ａの間の空間が弁室３２として機能する。一方、第２本体部材１０ｂの背面側には、給水部形成部材２４が接続される給水部接続部３４が形成されており、この給水部接続部３４と弁室３２を連通させるように、供給された原水が流入する水道水供給部である原水流入口３６が形成されている。また、第２本体部材１０ｂの背面側には、給水部形成部材２４の浄水供給通路と連通するように形成された浄水流入口３８が形成されている。この浄水流入口３８の縁部は、第３弁座３８ａとして機能し、第３弁体１８によって開閉される。また、浄水流入口３８は、第２本体部材１０ｂ内の隔壁に対して、弁室３２の反対側に開口されている。
【００３４】
第３本体部材１０ｃは、概ね、Ｌ字型パイプ状の部材であり、その入口端が第２本体部材１０ｂに接続され、その出口端は直流吐水部２２ｂに連通される第２吐出口４０を構成している。
【００３５】
駆動スピンドル１２は円形シャフト状の部材であり、その一端には切替レバー６が取り付けられ、他方の端部１２ａは、第１弁体１４の端部の穴１４ａに摺動可能に受け入れられている。駆動スピンドル１２は、図２に示す第１回動位置、この位置から９０゜回動された第２回動位置、更に９０゜回動された第３回動位置に回動可能に構成されている。本実施形態の浄水器水栓１においては、第１回動位置において浄水が直流吐水部２２ｂから吐水され、第２回動位置において原水がシャワー吐水部２２ａから吐水され、第３回動位置において原水が直流吐水部２２ｂから吐水されるように構成されている。また、駆動スピンドル１２の端部１２ａは、長方形断面に形成されている。このため、第１弁体１４は駆動スピンドル１２と一体として回動される。一方、作動軸線Ａの方向には、第１弁体１４は駆動スピンドル１２に対して移動可能に配置されている。
【００３６】
第１弁体１４は、概ね円柱形の部材であり、その一端には駆動スピンドル１２の端部１２ａを受け入れる穴１４ａが形成され、他方の端部には、第１弁座２６ａ及び第２弁座３０を夫々閉鎖するための２本のＯリング１４ｂ、１４ｃが取り付けられている。また、第１弁体１４は、駆動スピンドル１２の側に移動されると、Ｏリング１４ｂが第１弁座２６ａに当接してこれを閉鎖し、第２弁体１６の側（図２における左方向）に移動されるとＯリング１４ｃが第２弁座３０に当接してこれを閉鎖するように構成されている。また、第１弁体１４の、第２弁体１６側の端部には第１カム機構を構成するカム面が形成され、駆動スピンドル１２側の端面には第２カム機構を構成するカム面が形成されている。この第２カム機構は、弁体駆動手段として機能する。なお、各カム機構の構成については後述する。
【００３７】
第２弁体１６は、概ね円柱形の部材であり、その一端は第１弁体１４と係合され、他端は第３本体部材１０ｃと係合されるように構成されている。また、第２弁体１６の、第１弁体１４側の端部にはＯリング１６ａが取り付けられている。このＯリング１６ａは、第２弁体１６が第１弁体１４の側（図２における右方向）に移動されると、第２弁座３０に当接してこれを閉鎖するように構成されている。このように、本実施形態においては、第２弁座３０は、その両面が弁座として機能するように構成されており、図２における右側からは第１弁体１４によって閉鎖され、左側からは第２弁体１６によって閉鎖されるように構成されている。さらに、第２弁体１６の、第１弁体１４側の端部には第１カム機構を構成するカム面が形成され、第３本体部材１０ｃ側の端部には第３カム機構を構成するカム面が形成されている。この第３カム機構は、弁体駆動手段として機能する。なお、各カム機構の構成については後述する。
【００３８】
第３弁体１８は、第２本体部材１０ｂに形成された第３弁座３８ａを開閉するように、給水部接続部３４の内部に摺動可能に配置されている。また、第３弁体１８は、コイルバネ２０により第３弁座３８ａを閉鎖する方向に付勢されている。第３弁体１８は、駆動スピンドル１２が第１回動位置にあるとき、第２弁体１６から半径方向外方に突出する第３弁体駆動機構であるカム突起１６ｂに押圧され、第３弁座３８ａから離座して、これを開放するように構成されている。
【００３９】
吐水部形成部材２２は、概ね円盤状の部材であり、その中央には第３本体部材１０ｃの第２吐出口４０と連通する直流吐水部２２ｂが形成されている。また、吐水部形成部材２２の直流吐水部２２ｂの周囲には、第１本体部材１０ａの第１吐出口２８と連通するシャワー吐水部２２ａが形成されている。シャワー吐水部２２ａには、多数の小孔（図示せず）が設けられており、流入した原水をシャワー吐水させるように構成されている。
【００４０】
次に、図５乃至図７を参照して、各部品に構成されたカム機構を説明する。図５は、第２カム機構の構成を示す図であり、（ａ）第１弁体１４に構成されたカム面の斜視図、及び（ｂ）第１本体部材１０ａに構成されたカム面の斜視図である。図６は、第１カム機構の構成を示す図であり、（ａ）第２弁体１６に構成されたカム突起の斜視図、及び（ｂ）第１弁体１４に構成されたカム面の斜視図である。図７は、第３カム機構の構成を示す図であり、（ａ）第３本体部材１０ｃに構成されたカム面の斜視図、及び（ｂ）第２弁体１６に構成されたカム突起の斜視図である。
【００４１】
図５に示すように、第２カム機構は、第１弁体１４に構成されたカム面１４ｄ及び第１本体部材１０ａに構成されたカム面４２によって構成されるカム機構である。図５（ａ）に示すように、第１弁体１４の、駆動スピンドル１２側の環状の端面には、カム面１４ｄが形成されており、このカム面１４ｄは、滑らかに連なる２つの山部と２つの谷部から構成されている。これらの山部及び谷部は、中心角９０゜毎に交互に配置されている。一方、図５（ｂ）に示すように、第１本体部材１０ａには、第１弁体１４の端部を回動可能に受け入れる円筒状の凹部４２ａが形成されており、この凹部４２ａの環状の端面が、カム面４２として形成されている。このカム面４２も、第１弁体１４のカム面１４ｄと同様の形状に形成され、２つの山部と２つの谷部を備えている。
【００４２】
図２に示す第１回動位置においては、カム面１４ｄの２つの山とカム面４２の２つの谷が夫々整合されるため、第１弁体１４の端部は、凹部４２ａの奥部まで挿入される。この位置においては、第１弁体１４のＯリング１４ｂが第１弁座２６ａに当接され、第１弁座２６ａは閉鎖される。一方、第１弁体１４が駆動スピンドル１２によって第２回動位置まで９０゜回動されると、カム面１４ｄの２つの山とカム面４２の２つの山が夫々整合されるようになる。これにより、第１弁体１４は、作動軸線Ａに沿って第１の方向Ｄ１（図２における左方向）に移動される。この位置においては、第１弁体１４のＯリング１４ｃが第２弁座３０に当接され、第２弁座３０は閉鎖される。さらに、第１弁体１４が第３回動位置まで更に９０゜回動されると、カム面１４ｄの２つの山とカム面４２の２つの谷が再び整合するようになるので、第１弁体１４は、第１弁座２６ａを閉鎖する位置まで移動可能になる。
【００４３】
図６に示すように、第１カム機構は、第１弁体１４に構成されたカム面１４ｅ及び第２弁体１６に構成されたカム突起１６ｃによって構成されるカム機構である。図６（ａ）に示すように、カム突起１６ｃは、第２弁体１６の、第１弁体１４側の端面から突出する突起である。一方、図６（ｂ）に示すように、カム面１４ｅは、第１弁体１４の、第２弁体１６側に形成された凹部１４ｆの中に形成された摺動面である。カム面１４ｅは、凹部１４ｆの内周に沿って滑らかに高くなるように形成され、作動軸線Ａを中心に軸対称に２つ形成されている。
【００４４】
図２に示す第１回動位置においては、第２弁体１６のカム突起１６ｃは、第１弁体１４のカム面１４ｅの間に位置する。次に、駆動スピンドル１２が第２回動位置に回動されると、第１弁体１４は、駆動スピンドル１２と共に回動されながら第１の方向Ｄ１に移動される。この際、第１カム機構によって第１弁体１４に係合された第２弁体１６は、第１弁体１４と共に回動されながら第１の方向Ｄ１に移動される。
【００４５】
後述するように、第２弁体１６は、第２回動位置まで回動されると、第３本体部材１０ｃに形成されたストッパ機構により、それ以上の回動が阻止される。このため、駆動スピンドル１２が第２回動位置から更に第３回動位置まで回動される際には、第２弁体１６は第１弁体１４と共には回動されず、同一の回動位置が保持される。第２弁体１６の回動が阻止された状態で、第１弁体１４が回動されると、第２弁体１６と第１弁体１４の間に相対的な回動が生じる。これにより、第２弁体１６のカム突起１６ｃの端面が、第１弁体１４のカム面１４ｅを摺動しながら登り、第１弁体１４は、第１の方向Ｄ１とは反対の第２の方向Ｄ２に押圧され、移動される。これにより、第１弁体１４と第２弁体１６の間隔が広くされる。
【００４６】
図７に示すように、第３カム機構は、第２弁体１６に構成されたカム突起１６ｄ及び第３本体部材１０ｃに構成されたカム面４４によって構成されるカム機構である。図７（ａ）に示すように、カム面４４は、第３本体部材１０ｃに形成された凹部４４ａの奥部に形成された摺動面である。カム面４４は、凹部４４ａの内周に沿って滑らかに低くなるように形成され、作動軸線Ａを中心に軸対称に２つ形成されている。さらに、各カム面４４の最も低い位置に隣接して、ストッパ機構であるストッパ突起４６が夫々形成されており、第２弁体１６の更なる回動を阻止するように構成されている。一方、図７（ｂ）に示すように、第２弁体１６の、第３本体部材１０ｃ側の端部には、板状のカム突起１６ｄが形成されている。
【００４７】
図２に示す第１回動位置においては、第２弁体１６は、カム突起１６ｄの端面と、カム面４４の最も高い箇所が当接するように配置されている。次いで、駆動スピンドル１２及び第１弁体１４が第２回動位置まで回動されると、第２弁体１６も、これと共に第２回動位置まで回動される。この際、第２弁体１６のカム突起１６ｄの端面はカム面４４を摺動しながら下り、カム突起１６ｄとカム面４４の最も低い箇所が当接するようになる。次いで、駆動スピンドル１２及び第１弁体１４が第３回動位置まで回動される際には、第２弁体１６の回動は、ストッパ突起４６によって阻止され、第２弁体１６の回動位置は維持される。
【００４８】
次に、図８及び図９を新たに参照して、本発明の第１実施形態による浄水器水栓１の作用を説明する。図８はシャワー吐水状態に切り替えられた切替弁８の正面断面図であり、図９は原水直流吐水状態の正面断面図である。
【００４９】
まず、本実施形態の浄水器水栓１は、図２に示す浄水直流吐水状態においては、第１弁座２６ａは第１弁体１４によって閉鎖され、第２弁座３０は第２弁体１６によって閉鎖されている。このため、原水流入口３６から弁室３２に流入した原水は、弁室３２から流出されない。一方、浄水流入口３８を開閉する第３弁体１８は、第２弁体１６に設けられたカム突起１６ｂ（図７（ｂ））によって押圧され、開放されている（図３）。従って、浄水流入口３８から流入した浄水は、第２本体部材１０ｂ内部の、第２弁体１６側に流入し、第３本体部材１０ｃ、第２吐出口４０を通って直流吐水部２２ｂから吐水される。なお、第２弁座３０は第２弁体１６によって閉鎖されているため、第２本体部材１０ｂの内部に流入した浄水が弁室３２の内部に逆流することはない。
【００５０】
この浄水直流吐水状態においては、駆動スピンドル１２は第１回動位置にされている。第１回動位置においては、第２カム機構（図５）を構成する第１弁体１４のカム面１４ｄの山と、第１本体部材１０ａのカム面４２の谷が整合するので、第１弁体１４は凹部４２ａの奥部まで移動可能な状態になる。また、この状態においては、第１カム機構（図６）を構成する第２弁体１６のカム突起１６ｃは、第１弁体１４のカム面１４ｅの間に位置するため、第１弁体１４と第２弁体１６は接近した状態になる。さらに、第３カム機構（図７）を構成する第２弁体１６のカム突起１６ｄは、第３本体部材１０ｃのカム面４４の最も高い位置に当接される。これにより、第２弁体１６のＯリング１６ａが、第２弁体１６の側（図２の左側）から第２弁座３０に押し付けられ、第２弁座３０が閉鎖される。また、この際、第１弁体１４は、第２弁体１６によって駆動スピンドル１２の方向（図２の右方向）に押圧され、Ｏリング１４ｂが第１弁座２６ａに押し付けられて、第１弁座２６ａが閉鎖される。
【００５１】
次に、駆動スピンドル１２を９０゜回動させ、第２回動位置に回動させると、切替弁８は、図８に示す原水のシャワー吐水状態となる。このシャワー吐水状態においては、第１弁座２６ａが開放され、第２弁座３０は、第１弁体１４のＯリング１４ｃによって閉鎖される。また、第３弁座３８ａは、第３弁体１８によって閉鎖される。このため、原水流入口３６を通って弁室３２に流入した原水は、第１弁座２６ａ、第１本体部材１０ａ、第１吐出口２８を通ってシャワー吐水部２２ａから吐水される。なお、第２弁座３０が閉鎖されているため、弁室３２に流入した原水が直流吐水部２２ｂの側に流れることはない。
【００５２】
駆動スピンドル１２を第１回動位置から第２回動位置に回動させると、第２カム機構（図５）を構成する第１弁体１４のカム面１４ｄの山と、第１本体部材１０ａのカム面４２の山が整合するようになり、第１弁体１４は第１の方向Ｄ１に移動される。これにより、第１弁体１４のＯリング１４ｃが、第１弁体１４の側（図８の右側）から第２弁座３０に押し付けられ、第２弁座３０が閉鎖される。また、第１カム機構（図６）は、第２弁体１６のカム突起１６ｃが、第１弁体１４のカム面１４ｅの間に位置する状態を維持しながら、第２弁体１６は、第１弁体１４と共に回動されながら第１の方向Ｄ１に移動される。これにより、第２弁体１６のＯリング１６ａが第２弁座３０から離座すると共に、第２弁体１６のカム突起１６ｂが第３弁体１８から外れ、コイルバネ２０の付勢力によって第３弁座３８ａが閉鎖される。さらに、第３カム機構（図７）を構成する第２弁体１６のカム突起１６ｄは、回動されながら第３本体部材１０ｃのカム面４４を下り、カム突起１６ｄとストッパ突起４６が当接されるようになる。
【００５３】
次に、駆動スピンドル１２を更に９０゜回動させ、第３回動位置に回動させると、切替弁８は、図９に示す原水の直流吐水状態となる。この原水直流吐水状態においては、第１弁座２６ａが第１弁体１４のＯリング１４ｂによって閉鎖され、第２弁座３０は開放される。また、第３弁座３８ａは、第３弁体１８によって閉鎖された状態を維持する。このため、原水流入口３６を通って弁室３２に流入した原水は、第２弁座３０、第１本体部材１０ｃ、第２吐出口４０を通って直流吐水部２２ｂから吐水される。なお、第１弁座２６ａが閉鎖されているため、弁室３２に流入した原水がシャワー吐水部２２ａの側に流れることはなく、第３弁座３８ａが閉鎖されているため、第２弁座３０に流入した原水が、第３弁座３８ａを通って逆流することもない。
【００５４】
駆動スピンドル１２を第２回動位置から第３回動位置に回動させると、第２カム機構（図５）を構成する第１弁体１４のカム面１４ｄの山と、第１本体部材１０ａのカム面４２の谷が再び整合するようになり、第１弁体１４は第２の方向Ｄ２に移動可能になる。一方、第２弁体１６は、第３カム機構（図７）を構成する第２弁体１６のカム突起１６ｄがストッパ突起４６と係合しているため、もとの回動位置を維持する。このため、第１弁体１４が駆動スピンドル１２と共に第３回動位置に回動されると、第１弁体１４は第２弁体１６に対して相対的に回動される。これにより、第１カム機構（図６）を構成する第２弁体１６のカム突起１６ｃは、第１弁体１４のカム面１４ｅを登り（実際には、カム面１４ｅがカム突起１６ｃに押圧されて移動される）、第１弁体１４は第２の方向Ｄ２に押されて第２弁体１６から離れるように移動される。これにより、第１弁体１４のＯリング１４ｂが、第１弁座２６ａに押し付けられ、第１弁座２６ａが閉鎖される。
【００５５】
さらに、駆動スピンドル１２を逆方向に９０゜回動させ、第３回動位置から第２回動位置に回動させると、図８に示す原水のシャワー吐水状態に復帰する。この際、第１弁体１４は、回動されながら第１の方向Ｄ１に移動される。次いで、駆動スピンドル１２を更に９０゜回動させ、第２回動位置から第１回動位置に回動させると、図２に示す浄水の直流吐水状態になる。この際、第１弁体１４及び第２弁体１６は共に回動され、第３カム機構（図７）を構成する第２弁体１６のカム突起１６ｄは回動されながら第３本体部材１０ｃのカム面４４を登る。これにより、カム突起１６ｄの端面とカム面４４の最も高い箇所が当接されるようになり、第１弁体１４及び第２弁体１６が第２の方向に移動される。
【００５６】
本発明の第１実施形態の浄水器水栓によれば、第１、第２弁体が第１、第２弁座に着座され、又は離座することにより流路が切り替えられるため、スプール弁を切り替える場合のような大きな摺動抵抗が発生することはなく、小さな操作力で流路を切り替えることができる。また、駆動スピンドルには、水密性を確保するためにＯリングを装着する必要があるが、駆動スピンドルは専ら回動される部材であり、軸方向に摺動されることがないため、駆動スピンドルに装着されたＯリングが大きな摺動抵抗を発生することはない。
【００５７】
また、本実施形態の浄水器水栓によれば、第１乃至第３カム機構のみで、第１、第２弁座を開閉しているので、バネの付勢力に抗して操作力を作用させる必要がなく、操作力をより小さくすることができる。
【００５８】
さらに、本実施形態の浄水器水栓によれば、第２弁体に設けたカムにより、第３弁座を開閉しているので、駆動スピンドルの回動操作のみで、２種類の流体の切り替えを行うことができる。
【００５９】
次に、図１０乃至図１５を参照して、本発明の第２実施形態による浄水器水栓を説明する。本実施形態の浄水器水栓は、内蔵されている切替弁の構成が上述した第１実施形態とは異なる。従って、ここでは、本実施形態の第１実施形態とは異なる点のみを説明し、同様の点については説明を省略する。
【００６０】
図１０は本実施形態における切替弁の正面断面図であり、図１１は切替弁の主要な部品を分解して断面で示す分解図である。図１２は、第３カム機構のカムの形状を拡大して示す斜視図である。
【００６１】
図１０及び図１１に示すように、本実施形態の浄水器水栓に内蔵されている切替弁１０８は、切替弁本体１１０と、切替レバー６に連結された回動駆動手段である駆動スピンドル１１２と、第１弁体１１４と、第２弁体１１６と、を有する。また、切替弁１０８は、浄水の吐水、停止を切り替える第３弁体１１８と、この第３弁体１１８を閉方向に付勢するコイルバネ１２０と、を有する。さらに、切替弁本体１１０の下部には、シャワー吐水部１２２ａ及び直流吐水部１２２ｂが設けられた吐水部形成部材１２２が取り付けられ、切替弁本体１１０の背面側には、原水及び浄水の供給通路が設けられた給水部形成部材１２４が取り付けられている。
【００６２】
切替弁本体１１０は、駆動スピンドル１１２を受け入れている第１本体部材１１０ａと、弁室の一部を形成する第２本体部材１１０ｂと、第３本体部材１１０ｃと、を結合することによって構成されている。駆動スピンドル１１２、第１弁体１１４、及び第２弁体１１６は、切替弁本体１１０の作動軸線Ａ上に、回動可能に配置されている。また、第１弁体１１４及び第２弁体１１６は、作動軸線Ａを中心とする回動に伴って作動軸線Ａ上で移動され、これにより各弁座が開閉され、流路を切り替えることができる。
【００６３】
第１本体部材１１０ａは、概ね円筒状の部材であり、その中心の作動軸線Ａ上に、駆動スピンドル１１２を回動可能に受け入れている。また、第１本体部材１１０ａの一方の端部は、第２本体部材１１０ｂの端部に結合され、浄水を流出させる浄水流路１１１ａを形成している。
【００６４】
第２本体部材１１０ｂは、概ね円筒状の部材であり、その中間部には、原水を流出させる原水流路１１１ｂと浄水流路１１１ａを隔てる隔壁が設けられている。これらの浄水流路１１１ａ及び原水流路１１１ｂは、第２本体部材１１０ｂの下部において合流され、第１吐出口１２８に連通している。さらに、原水流路１１１ｂの入口には第１弁座１２６が形成されている。また、第２本体部材１１０ｂの端部には、第１本体部材１１０ａが受け入れられており、浄水流路１１１ａを形成している。さらに、第２本体部材１１０ｂの、第１弁座１２６よりも第３本体部材１１０ｃ側の部分（図１０において、第１弁座１２６よりも左側の部分）は、第３本体部材１１０ｃと共に弁室１３２を形成している。一方、第２本体部材１１０ｂの背面側には、給水部形成部材１２４が接続される給水部接続部１３４が形成されている。この給水部接続部１３４と弁室１３２を連通させるように、供給された原水が流入する原水流入口１３６が形成されている。
【００６５】
また、第２本体部材１１０ｂの背面側には、給水部形成部材１２４の浄水供給通路と連通するように形成された浄水流入口１３８が形成されている。この浄水流入口１３８は、第２本体部材１１０ｂの浄水流路１１１ａに連通するように位置決めされている。また、浄水流入口１３８の縁部は、第３弁座１３８ａとして機能し、第３弁体１１８によって開閉される。
【００６６】
第３本体部材１１０ｃは、概ね、Ｌ字型パイプ状の部材であり、その入口端が第２本体部材１１０ｂに接続され、その出口端は直流吐水部１２２ｂに連通される第２吐出口１４０を構成している。また、第３本体部材１１０ｃの屈曲部には、第２弁座１３０が形成されており、この第２弁座１３０と、第２本体部材１１０ｂの第１弁座１２６の間の空間が弁室１３２を構成している。
【００６７】
駆動スピンドル１１２は円形シャフト状の部材であり、その一端には切替レバー６が取り付けられ、他方の端部１１２ａは、第１弁体１１４の端部の穴１１４ａに摺動可能に受け入れられている。駆動スピンドル１１２は、図１０に示す第１回動位置、この位置から９０゜回動された第２回動位置、更に９０゜回動された第３回動位置に回動可能に構成されている。本実施形態の浄水器水栓においては、第１回動位置において原水がシャワー吐水部１２２ａから吐水され、第２回動位置において原水が直流吐水部１２２ｂから吐水され、第３回動位置において浄水が直流吐水部１２２ｂから吐水されるように構成されている。また、駆動スピンドル１１２は、第１弁体１１４と一体として回動されるように構成されている。一方、作動軸線Ａの方向には、第１弁体１１４は駆動スピンドル１１２に対して移動可能に配置されている。
【００６８】
第１弁体１１４は、概ね円柱形の部材であり、その一端には駆動スピンドル１１２の端部１１２ａを受け入れる穴１１４ａが形成され、他方の端部には、第１弁座１２６を閉鎖するためのＯリング１１４ｂが取り付けられている。また、第１弁体１１４は、駆動スピンドル１１２の側に移動されると、Ｏリング１１４ｂが第１弁座１２６に当接してこれを閉鎖するように構成されている。また、第１弁体１１４の、第２弁体１１６側の端部には第１カム機構を構成するカム面１１４ｅ（図１１）が形成され、駆動スピンドル１１２側の端面には第２カム機構を構成するカム面１１４ｄ（図１１）が形成されている。各カム面の構成は、第１実施形態と同様であるので説明を省略する。
【００６９】
第２弁体１１６は、概ね円柱形の部材であり、その一端は第１弁体１１４と係合され、他端は第３本体部材１１０ｃと係合されるように構成されている。また、第２弁体１１６の、中間部にはＯリング１１６ａが取り付けられている。このＯリング１１６ａは、第２弁体１１６が第３本体部材１１０ｃの側（図１０における左方向）に移動されると、第２弁座１３０に当接してこれを閉鎖するように構成されている。さらに、第２弁体１１６の、第１弁体１１４側の端部には第１カム機構を構成するカム突起１１６ｃ（図１１）が形成され、第３本体部材１１０ｃ側の端部には第３カム機構を構成するカム突起１１６ｄ（図１１）が形成されている。第３カム機構の構成については後述する。
【００７０】
第３弁体１１８は、第２本体部材１１０ｂに形成された第３弁座１３８ａを開閉するように、給水部接続部１３４の内部に摺動可能に配置されている。また、第３弁体１１８は、コイルバネ１２０により第３弁座１３８ａを閉鎖する方向に付勢されている。第３弁体１１８は、駆動スピンドル１１２が第３回動位置にあるとき、駆動スピンドル１１２に設けられているカム突起１１２ｂ（図１１）に押圧され、第３弁座１３８ａから離座して、これを開放するように構成されている。従って、カム突起１１２ｂは、第３弁体駆動機構として機能する。
【００７１】
吐水部形成部材１２２は、概ね円盤状の部材であり、その中央には第２本体部材１１０ｂの第１吐出口１２８と連通する直流吐水部１２２ｂが形成されている。また、吐水部形成部材１２２の直流吐水部１２２ｂの周囲には、第３本体部材１１０ｃの第２吐出口１４０と連通するシャワー吐水部１２２ａが形成されている。シャワー吐水部１２２ａには、多数の小孔が設けられており、流入した原水をシャワー吐水させるように構成されている。
【００７２】
次に、図１２を参照して、第３カム機構を説明する。図１２は、第３カム機構の構成を示す図であり、（ａ）第３本体部材１１０ｃに構成されたカム面の斜視図、及び（ｂ）第２弁体１１６に構成されたカム突起の斜視図である。
【００７３】
図１２に示すように、第３カム機構は、第２弁体１１６に構成されたカム突起１１６ｄ及び第３本体部材１１０ｃに構成されたカム面１４４によって構成されるカム機構である。図１２（ａ）に示すように、カム面１４４は、第３本体部材１１０ｃに形成された凹部１４４ａの奥部に形成された摺動面である。カム面１４４は、凹部１４４ａの内周に沿って滑らかに低くなるように形成され、作動軸線Ａを中心に軸対称に２つ形成されている。さらに、各カム面１４４の最も低い位置に隣接して、ストッパ機構であるストッパ突起１４６が夫々形成されており、第２弁体１１６の更なる回動を阻止するように構成されている。一方、図１２（ｂ）に示すように、第２弁体１１６の、第３本体部材１１０ｃ側の端部には、板状のカム突起１１６ｄが形成されている。
【００７４】
次に、図１３乃至図１５を新たに参照して、本発明の第２実施形態による浄水器水栓の作用を説明する。図１３は原水直流吐水状態に切り替えられた切替弁１０８の正面断面図である。また、図１４は浄水直流吐水状態の正面断面図であり、図１５は浄水直流吐水状態の平面断面図である。
【００７５】
まず、本実施形態の浄水器水栓は、図１０に示すシャワー吐水状態においては、第１弁座１２６は第１弁体１１４によって閉鎖され、第２弁座１３０は開放されている。このため、原水流入口１３６から弁室１３２に流入した原水は、第２弁座１３０に流入し、第２吐出口１４０を通ってシャワー吐水部１２２ａから吐水される。一方、浄水流入口１３８を開閉する第３弁体１１８は、コイルバネ１２０の付勢力により押圧され、閉鎖されている。
【００７６】
このシャワー吐水状態においては、駆動スピンドル１１２は第１回動位置にされている。第１回動位置においては、第２カム機構は、第１弁体１１４が駆動スピンドル１１２の側に移動可能な状態になっている。また、この状態においては、第１カム機構は、第１弁体１１４と第２弁体１１６が接近可能な状態になっている。さらに、第３カム機構（図１２）を構成する第２弁体１１６のカム突起１１６ｄは、第３本体部材１１０ｃのカム面１４４の最も高い位置に当接される。これにより、第１弁体１１４のＯリング１１４ｂが、第１弁座１２６に押し付けられ、第１弁座１２６が閉鎖される。
【００７７】
次に、駆動スピンドル１１２を９０゜回動させ、第２回動位置に回動させると、切替弁１０８は、図１３に示す原水の直流吐水状態となる。この直流吐水状態においては、第１弁座１２６が開放され、第２弁座１３０は、第２弁体１１６のＯリング１１６ａによって閉鎖される。また、第３弁座１３８ａは、第３弁体１１８によって閉鎖される。このため、原水流入口１３６を通って弁室１３２に流入した原水は、第１弁座１２６、原水流路１１１ｂ、第１吐出口１２８を通って直流吐水部１２２ｂから吐水される。なお、第２弁座１３０が閉鎖されているため、弁室１３２に流入した原水がシャワー吐水部１２２ａの側に流れることはない。
【００７８】
駆動スピンドル１１２を第１回動位置から第２回動位置に回動させると、第２カム機構の作用により、第１弁体１１４は第１の方向Ｄ１に移動される。これにより、第１弁体１１４のＯリング１１４ｂが、第１弁座１２６から離座し、第１弁座１２６が開放される。また、第１カム機構は、第１回動位置における状態を維持したまま、第２弁体１１６は、第１弁体１１４と共に回動されながら第１の方向Ｄ１に移動される。これにより、第２弁体１１６のＯリング１１６ａが第２弁座１３０に押し付けられ、第２弁座１３０が閉鎖される。また、第３弁座３８ａは閉鎖された状態を維持する。さらに、第３カム機構（図１２）を構成する第２弁体１１６のカム突起１１６ｄは、回動されながら第３本体部材１１０ｃのカム面１４４を下り、カム突起１１６ｄとストッパ突起１４６が当接されるようになる。
【００７９】
次に、駆動スピンドル１１２を更に９０゜回動させ、第３回動位置に回動させると、切替弁１０８は、図１４及び図１５に示す浄水の直流吐水状態となる。この浄水直流吐水状態においては、第１弁座１２６が第１弁体１１４のＯリング１１４ｂによって閉鎖され、第２弁座１３０は第２弁体１１６のＯリング１１６ａによって閉鎖される。また、第３弁体１１８は、駆動スピンドル１１２のカム突起１１２ｂによって押され、コイルバネ１２０の付勢力に抗して第３弁座１３８ａが開放される。このため、第３弁座１３８ａを通って浄水流路１１１ａに流入した浄水は、第１吐出口１２８を通って直流吐水部１２２ｂから吐水される。なお、第１弁座１２６及び第２弁座１３０が閉鎖されているため、原水が弁室１３２から流出されることはない。
【００８０】
駆動スピンドル１１２を第２回動位置から第３回動位置に回動させると、第２カム機構は、再び第１弁体１１４を第２の方向Ｄ２に移動可能にする。一方、第２弁体１１６は、第３カム機構（図１２）を構成する第２弁体１１６のカム突起１１６ｄがストッパ突起１４６と係合しているため、もとの回動位置を維持する。このため、第１弁体１１４が駆動スピンドル１１２と共に第３回動位置に回動されると、第１弁体１１４は第２弁体１１６に対して相対的に回動される。これにより、第１カム機構が作用して、第１弁体１１４は第２の方向Ｄ２に押されて第２弁体１１６から離れるように移動される。
【００８１】
さらに、駆動スピンドル１１２を逆方向に９０゜回動させ、第３回動位置から第２回動位置に回動させると、図１３に示す原水の直流吐水状態に復帰する。この際、第１弁体１１４は、回動されながら第１の方向Ｄ１に移動される。次いで、駆動スピンドル１１２を更に９０゜回動させ、第２回動位置から第１回動位置に回動させると、図１０に示すシャワー吐水状態になる。この際、第１弁体１１４及び第２弁体１１６は共に回動され、第３カム機構（図１２）を構成する第２弁体１１６のカム突起１１６ｄは回動されながら第３本体部材１１０ｃのカム面１４４を登る。これにより、カム突起１１６ｄの端面とカム面１４４の最も高い箇所が当接されるようになり、第１弁体１１４及び第２弁体１１６が第２の方向に移動される。
【００８２】
本発明の第２実施形態の浄水器水栓によれば、駆動スピンドルに設けたカムにより、第３弁座を開閉しているので、駆動スピンドルの回動操作のみで、２種類の流体の切り替えを行うことができる。
【００８３】
次に、図１６乃至図１９を参照して、本発明の第３実施形態による浄水器水栓を説明する。本実施形態の浄水器水栓は、内蔵されている切替弁の第３カム機構がバネに置き換えられている点が上述した第２実施形態とは異なる。従って、ここでは、本実施形態の第２実施形態とは異なる点のみを説明し、同様の点については説明を省略する。
【００８４】
図１６は本実施形態における切替弁のシャワー吐水状態を示す正面断面図であり、図１７は原水の直流吐水状態を示す正面断面図であり、図１８は浄水の直流吐水状態を示す正面断面図である。また、図１９は、切替弁の浄水直流吐水状態を示す平面断面図である。
【００８５】
図１６乃至図１９に示すように、本実施形態の浄水器水栓に内蔵されている切替弁２０８は、切替弁本体２１０と、切替レバー６に連結された回動駆動手段である駆動スピンドル２１２と、第１弁体２１４と、この第１弁体２１４を付勢する第１弁体付勢手段である第１弁体付勢バネ２１５と、第２弁体２１６と、この第２弁体２１６を付勢する第２弁体付勢手段である第２弁体付勢バネ２１７と、を有する。この第２弁体付勢バネ２１７は、弁体駆動手段として機能する。
【００８６】
また、図１９に示すように、切替弁２０８は、浄水の吐水、停止を切り替える第３弁体２１８と、この第３弁体２１８を閉方向に付勢するコイルバネ２２０と、を有する。さらに、切替弁本体２１０の下部には、シャワー吐水部２２２ａ及び直流吐水部２２２ｂが設けられた吐水部形成部材２２２が取り付けられ、切替弁本体２１０の背面側には、原水及び浄水の供給通路が設けられた給水部形成部材２２４が取り付けられている。
【００８７】
切替弁本体２１０は、駆動スピンドル２１２を受け入れている第１本体部材２１０ａと、弁室の一部を形成する第２本体部材２１０ｂと、第３本体部材２１０ｃと、を結合することによって構成されている。駆動スピンドル２１２、第１弁体２１４、及び第２弁体２１６は、切替弁本体２１０の作動軸線Ａ上に、回動可能に配置されている。また、第１弁体２１４及び第２弁体２１６は、作動軸線Ａを中心とする回動に伴って作動軸線Ａ上で移動され、これにより各弁座が開閉され、流路を切り替えることができる。
【００８８】
第１本体部材２１０ａは、概ね円筒状の部材であり、その中心の作動軸線Ａ上に、駆動スピンドル２１２を回動可能に受け入れている。また、第１本体部材２１０ａの一方の端部は、第２本体部材２１０ｂの端部に結合され、浄水を流出させる浄水流路２１１ａを形成している。
【００８９】
第２本体部材２１０ｂは、概ね円筒状の部材であり、その中間部には、原水を流出させる原水流路２１１ｂと浄水流路２１１ａを隔てる隔壁が設けられている。これらの浄水流路２１１ａ及び原水流路２１１ｂは、第２本体部材２１０ｂの下部において合流され、第１吐出口２２８に連通している。さらに、原水流路２１１ｂの入口には第１弁座２２６が形成されている。また、第２本体部材２１０ｂの端部には、第１本体部材２１０ａが受け入れられており、浄水流路２１１ａを形成している。さらに、第２本体部材２１０ｂの、第１弁座２２６よりも第３本体部材２１０ｃ側の部分（図１６において、第１弁座２２６よりも左側の部分）は、第３本体部材２１０ｃと共に弁室２３２を形成している。
【００９０】
一方、図１９に示すように、第２本体部材２１０ｂの背面側には、給水部形成部材２２４が接続される給水部接続部２３４が形成されている。この給水部接続部２３４と弁室２３２を連通させるように、供給された原水が流入する原水流入口２３６が形成されている。
【００９１】
また、第２本体部材２１０ｂの背面側には、給水部形成部材２２４の浄水供給通路と連通するように形成された浄水流入口２３８が形成されている。この浄水流入口２３８は、第２本体部材２１０ｂの浄水流路２１１ａに連通するように位置決めされている。また、浄水流入口２３８の縁部は、第３弁座２３８ａとして機能し、第３弁体２１８によって開閉される。
【００９２】
第３本体部材２１０ｃは、概ね、Ｌ字型パイプ状の部材であり、その入口端が第２本体部材２１０ｂに接続され、その出口端は直流吐水部２２２ｂに連通される第２吐出口２４０を構成している。また、第３本体部材２１０ｃの屈曲部には、第２弁座２３０が形成されており、この第２弁座２３０と、第２本体部材２１０ｂの第１弁座２２６の間の空間が弁室２３２を構成している。
【００９３】
駆動スピンドル２１２は円形シャフト状の部材であり、その一端には切替レバー６が取り付けられ、他方の端部２１２ａは、第１弁体２１４の端部の穴２１４ａに摺動可能に受け入れられている。駆動スピンドル２１２は、図１６に示す第１回動位置、この位置から９０゜回動された第２回動位置、更に９０゜回動された第３回動位置に回動可能に構成されている。また、駆動スピンドル２１２は、第１弁体２１４と一体として回動され、作動軸線Ａの方向には、第１弁体２１４は駆動スピンドル２１２に対して移動可能にされている。
【００９４】
第１弁体２１４は、概ね円柱形の部材であり、その一端には駆動スピンドル２１２の端部２１２ａを受け入れる穴２１４ａが形成され、他方の端部には、第１弁座２２６を閉鎖するためのＯリング２１４ｂが取り付けられている。また、第１弁体２１４の、第２弁体２１６側の端部と、第３本体部材２１０ｃの間には、第１弁体付勢バネ２１５が配置されており、第１弁体２１４は駆動スピンドル２１２の側（第２の方向Ｄ２）に付勢されている。この付勢力により、第１弁体２１４が駆動スピンドル２１２の側に移動されると、Ｏリング２１４ｂが第１弁座２２６に当接してこれを閉鎖するように構成されている。また、第１弁体２１４の、第２弁体２１６側の端部には第１カム機構を構成するカム面２１４ｅ（図１９）が形成されている。さらに、第１弁体２１４の、駆動スピンドル２１２側の端面には、カム面２１４ｄ（図１７）が形成され、このカム面２１４ｄは、第２本体部材２１０ｂに形成されたカム面２４２（図１７）と共に第２カム機構を構成する。各カム面の構成は、第１実施形態と同様であるので説明を省略する。
【００９５】
第２弁体２１６は、概ね円柱形の部材であり、その一端は第１弁体２１４と係合され、他端は第２弁体付勢バネ２１７によって第１弁体２１４の方に付勢されている。第３本体部材２１０ｃと係合されるように構成されている。また、第２弁体２１６の、中間部にはＯリング２１６ａが取り付けられている。このＯリング２１６ａは、第２弁体２１６が第３本体部材２１０ｃの側（図１６における左方向）に移動されると、第２弁座２３０に当接してこれを閉鎖するように構成されている。さらに、第２弁体２１６の、第１弁体２１４側の端部には第１カム機構を構成するカム突起２１６ｃ（図１７）が形成されている。また、第２弁体２１６の、第３本体部材２１０ｃ側の端部には、ストッパ機構を構成する係合突起２１６ｄ（図１７）が形成され、第３本体部材２１０ｃには、係合突起２１６ｄと係合するストッパ突起２４６が形成されている。このストッパ機構により、第２弁体２１６の所定角度以上の回動が阻止される。さらに、第２弁体２１６の、第３本体部材２１０ｃ側の端部には、第２弁体付勢バネ２１７を受け入れる円形ボア２１６ｅが形成されている。
【００９６】
図１９に示すように、第３弁体２１８は、第２本体部材２１０ｂに形成された第３弁座２３８ａを開閉するように、給水部接続部２３４の内部に摺動可能に配置されている。また、第３弁体２１８は、コイルバネ２２０により第３弁座２３８ａを閉鎖する方向に付勢されている。第３弁体２１８は、駆動スピンドル２１２が第３回動位置にあるとき、駆動スピンドル２１２に設けられているカム突起２１２ｂ（図１９）に押圧され、第３弁座２３８ａから離座して、これを開放するように構成されている。従って、カム突起２１２ｂは、第３弁体駆動機構として機能する。
【００９７】
吐水部形成部材２２２は、概ね円盤状の部材であり、その中央には第２本体部材２１０ｂの第１吐出口２２８と連通する直流吐水部２２２ｂが形成されている。また、吐水部形成部材２２２の直流吐水部２２２ｂの周囲には、第３本体部材２１０ｃの第２吐出口２４０と連通するシャワー吐水部２２２ａが形成されている。シャワー吐水部２２２ａには、多数の小孔が設けられており、流入した原水をシャワー吐水させるように構成されている。
【００９８】
次に、本発明の第３実施形態による浄水器水栓の作用を説明する。
まず、本実施形態の浄水器水栓は、図１６に示すシャワー吐水状態においては、第１弁座２２６は第１弁体２１４によって閉鎖され、第２弁座２３０は開放されている。このため、原水流入口２３６から弁室２３２に流入した原水は、第２弁座２３０に流入し、第２吐出口２４０を通ってシャワー吐水部２２２ａから吐水される。一方、浄水流入口２３８を開閉する第３弁体２１８は、コイルバネ２２０の付勢力により押圧され、閉鎖されている。
【００９９】
このシャワー吐水状態においては、駆動スピンドル２１２は第１回動位置にされている。第１回動位置においては、第２カム機構は、第１弁体２１４が駆動スピンドル２１２の側に移動可能な状態になっている。この状態において、第１弁体付勢バネ２１５により第１弁体２１４が付勢されるため、第１弁体２１４のＯリング２１４ｂが、第１弁座２２６に押し付けられ、第１弁座２２６が閉鎖される。また、第１回動位置においては、第１カム機構は、第１弁体２１４と第２弁体２１６が接近可能な状態になっている。この状態において、第２弁体付勢バネ２１７により第２弁体２１６が付勢されるため、第１弁体２１４と第２弁体２１６は接近された状態となる。
【０１００】
次に、駆動スピンドル２１２を９０゜回動させ、第２回動位置に回動させると、切替弁２０８は、図１７に示す原水の直流吐水状態となる。この直流吐水状態においては、第１弁座２２６が開放され、第２弁座２３０は、第２弁体２１６のＯリング２１６ａによって閉鎖される。また、第３弁座２３８ａは、第３弁体２１８によって閉鎖される。このため、原水流入口２３６を通って弁室２３２に流入した原水は、第１弁座２２６、原水流路２１１ｂ、第１吐出口２２８を通って直流吐水部２２２ｂから吐水される。
【０１０１】
駆動スピンドル２１２を第１回動位置から第２回動位置に回動させると、第２カム機構の作用により、第１弁体２１４は第１弁体付勢バネ２１５の付勢力に抗して第１の方向Ｄ１に移動される。また、第１カム機構は、第１回動位置における状態を維持したまま、第２弁体２１６は、第１弁体２１４と共に回動されながら第２弁体付勢バネ２１７の付勢力に抗して第１の方向Ｄ１に移動される。これにより、第２弁体２１６の係合突起２１６ｄと第３本体部材２１０ｃのストッパ突起２４６が係合し、第２弁体２１６の更なる回転が阻止される。
【０１０２】
次に、駆動スピンドル２１２を更に９０゜回動させ、第３回動位置に回動させると、切替弁２０８は、図１８及び図１９に示す浄水の直流吐水状態となる。この浄水直流吐水状態においては、第１弁座２２６が第１弁体２１４のＯリング２１４ｂによって閉鎖され、第２弁座２３０は第２弁体２１６のＯリング２１６ａによって閉鎖される。また、第３弁体２１８は、駆動スピンドル２１２のカム突起２１２ｂによって押され、コイルバネ２２０の付勢力に抗して第３弁座２３８ａが開放される。このため、第３弁座２３８ａを通って浄水流路２１１ａに流入した浄水は、第１吐出口２２８を通って直流吐水部２２２ｂから吐水される。
【０１０３】
駆動スピンドル２１２を第２回動位置から第３回動位置に回動させると、第２カム機構は、再び第１弁体２１４を第２の方向Ｄ２に移動可能にする。このため、第１弁体２１４は、第１弁体付勢バネ２１５の付勢力により第２の方向Ｄ２に移動され、第１弁座２２６に着座される。一方、第２弁体２１６は、第２弁体２１６の係合突起２１６ｄがストッパ突起２４６と係合しているため、もとの回動位置を維持する。このため、第１弁体２１４が駆動スピンドル２１２と共に第３回動位置に回動されると、第１弁体２１４は第２弁体２１６に対して相対的に回動される。これにより第１カム機構が作用して、第２弁体２１６は、第１の方向Ｄ１に押され、第２弁体付勢バネ２１７の付勢力に抗して第２弁座２３０に着座された位置に止まる。
【０１０４】
さらに、駆動スピンドル２１２を逆方向に９０゜回動させ、第３回動位置から第２回動位置に回動させると、図１７に示す原水の直流吐水状態に復帰する。この際、第２カム機構の作用により、第１弁体２１４は、第１弁体付勢バネ２１５の付勢力に抗して第１の方向Ｄ１に移動される。次いで、駆動スピンドル２１２を更に９０゜回動させ、第２回動位置から第１回動位置に回動させると、図１６に示すシャワー吐水状態になる。この際、第１弁体２１４及び第２弁体２１６は共に回動されると共に、第１弁体付勢バネ２１５及び第２弁体付勢バネ２１７の付勢力により、第２の方向に夫々移動される。
本発明の第３実施形態の浄水器水栓によれば、付勢バネとカム機構の組み合わせにより第１、第２弁体を往復運動させているので、カム機構を簡略化することができる。
【０１０５】
以上、本発明の好ましい実施形態を説明したが、上述した実施形態に種々の変更を加えることができる。特に、上述した実施形態においては、本発明の切替弁を浄水器水栓に適用していたが、本発明の切替弁は、任意の流体の流路を切り替える切替弁として使用することができる。
【０１０６】
また、上述した実施形態においては、第１の流体である原水と、第２の流体である浄水が切替弁に供給され、供給された原水は、直流吐水され、シャワー吐水され、又は停止され（浄水が吐水されるとき、原水の吐水は停止される）ていた。しかしながら、本発明の切替弁を、第１の流体のみが供給され、その第１の流体が、２つの吐出口のうちの何れか一方から吐出され、又は吐出が停止される切替弁として構成することもできる。
【０１０７】
さらに、上述した実施形態においては、各弁体にはＯリングが取り付けられ、このＯリングが対応する弁座に当接することにより、これを閉鎖していたが、弁座を閉鎖するために任意のパッキン等を使用することができる。例えば、三角形断面のパッキンを、Ｏリングに換えて使用することができる。
【図面の簡単な説明】
【０１０８】
【図１】（ａ）本発明の第１実施形態による浄水器水栓が設けられた水栓装置を示す斜視図、及び（ｂ）水栓装置の内部における水路を示すブロック図である。
【図２】本発明の第１実施形態の浄水器水栓に内蔵されている切替弁の正面断面図である。
【図３】本発明の第１実施形態の浄水器水栓に内蔵されている切替弁の平面断面図である。
【図４】本発明の第１実施形態の浄水器水栓に内蔵されている切替弁の主要な部品を分解して断面で示す分解図である。
【図５】第２カム機構の構成を示す図であり、（ａ）第１弁体に構成されたカム面の斜視図、及び（ｂ）第１本体部材に構成されたカム面の斜視図である。
【図６】第１カム機構の構成を示す図であり、（ａ）第２弁体に構成されたカム突起の斜視図、及び（ｂ）第１弁体に構成されたカム面の斜視図である。
【図７】第３カム機構の構成を示す図であり、（ａ）第３本体部材に構成されたカム面の斜視図、及び（ｂ）第２弁体に構成されたカム突起の斜視図である。
【図８】シャワー吐水状態に切り替えられた切替弁の正面断面図である。
【図９】原水直流吐水状態に切り替えられた切替弁の正面断面図である。
【図１０】本発明の第２実施形態における切替弁の正面断面図である。
【図１１】本発明の第２実施形態における切替弁の主要な部品を分解して断面で示す分解図である。
【図１２】第３カム機構のカムの形状を拡大して示す斜視図である。
【図１３】原水直流吐水状態に切り替えられた切替弁の正面断面図である。
【図１４】浄水直流吐水状態に切り替えられた切替弁の正面断面図である。
【図１５】浄水直流吐水状態に切り替えられた切替弁の平面断面図である。
【図１６】本発明の第３実施形態における切替弁のシャワー吐水状態を示す正面断面図である。
【図１７】本発明の第３実施形態における切替弁の原水の直流吐水状態を示す正面断面図である。
【図１８】本発明の第３実施形態における切替弁の浄水の直流吐水状態を示す正面断面図である。
【図１９】本発明の第３実施形態における切替弁の浄水直流吐水状態を示す平面断面図である。
【符号の説明】
【０１０９】
Ａ        作動軸線
１        本発明の第１実施形態による浄水器水栓
２        水栓装置
４        浄水器
６        切替レバー
８        切替弁
１０      切替弁本体
１０ａ    第１本体部材
１０ｂ    第２本体部材
１０ｃ    第３本体部材
１２      駆動スピンドル（回動駆動手段）
１２ａ    端部
１４      第１弁体
１４ａ    穴
１４ｂ    Ｏリング
１４ｃ    Ｏリング
１４ｄ    カム面
１４ｅ    カム面
１４ｆ    凹部
１６      第２弁体
１６ａ    Ｏリング
１６ｂ    カム突起（第３弁体駆動機構）
１６ｃ    カム突起
１６ｄ    カム突起
１８      第３弁体
２０      コイルバネ
２２      吐水部形成部材
２２ａ    シャワー吐水部
２２ｂ    直流吐水部
２４      給水部形成部材
２６      第１弁座形成部材
２６ａ    第１弁座
２８      第１吐出口
３０      第２弁座
３２      弁室
３４      給水部接続部
３６      原水流入口（水道水供給部）
３８      浄水流入口
３８ａ    第３弁座
４０      第２吐出口
４２      カム面
４２ａ    凹部
４４      カム面
４４ａ    凹部
４６      ストッパ突起（ストッパ機構）
１０８    切替弁
１１０    切替弁本体
１１０ａ  第１本体部材
１１０ｂ  第２本体部材
１１０ｃ  第３本体部材
１１１ａ  浄水流路
１１１ｂ  原水流路
１１２    駆動スピンドル
１１２ａ  端部
１１２ｂ  カム突起（第３弁体駆動機構）
１１４    第１弁体
１１４ａ  穴
１１４ｂ  Ｏリング
１１４ｄ  カム面
１１４ｅ  カム面
１１６    第２弁体
１１６ａ  Ｏリング
１１６ｃ  カム突起
１１６ｄ  カム突起
１１８    第３弁体
１２０    コイルバネ
１２２    吐水部形成部材
１２２ａ  シャワー吐水部
１２２ｂ  直流吐水部
１２４    給水部形成部材
１２６    第１弁座
１２８    第１吐出口
１３０    第２弁座
１３２    弁室
１３４    給水部接続部
１３６    原水流入口
１３８    浄水流入口
１３８ａ  第３弁座
１４０    第２吐出口
１４４    カム面
１４４ａ  凹部
１４６    ストッパ突起
２０８    切替弁
２１０    切替弁本体
２１０ａ  第１本体部材
２１０ｂ  第２本体部材
２１０ｃ  第３本体部材
２１１ａ  浄水流路
２１１ｂ  原水流路
２１２    駆動スピンドル
２１２ａ  端部
２１２ｂ  カム突起（第３弁体駆動機構）
２１４    第１弁体
２１４ａ  穴
２１４ｂ  Ｏリング
２１４ｄ  カム面
２１４ｅ  カム面
２１５    第１弁体付勢バネ
２１６    第２弁体
２１６ａ  Ｏリング
２１６ｃ  カム突起
２１６ｄ  係合突起
２１６ｅ  円形ボア
２１７    第２弁体付勢バネ
２１８    第３弁体
２２０    コイルバネ
２２２    吐水部形成部材
２２２ａ  シャワー吐水部
２２２ｂ  直流吐水部
２２４    給水部形成部材
２２６    第１弁座
２２８    第１吐出口
２３０    第２弁座
２３２    弁室
２３４    給水部接続部
２３６    原水流入口
２３８    浄水流入口
２３８ａ  第３弁座
２４０    第２吐出口
２４２    カム面
２４６    ストッパ突起
【図１】
0004974055.tif 000002
【図２】
0004974055.tif 000003
【図３】
0004974055.tif 000004
【図４】
0004974055.tif 000005
【図５】
0004974055.tif 000006
【図６】
0004974055.tif 000007
【図７】
0004974055.tif 000008
【図８】
0004974055.tif 000009
【図９】
0004974055.tif 000010
【図１０】
0004974055.tif 000011
【図１１】
0004974055.tif 000012
【図１２】
0004974055.tif 000013
【図１３】
0004974055.tif 000014
【図１４】
0004974055.tif 000015
【図１５】
0004974055.tif 000016
【図１６】
0004974055.tif 000017
【図１７】
0004974055.tif 000018
【図１８】
0004974055.tif 000019
【図１９】
0004974055.tif 000020